(57)【特許請求の範囲】
【請求項１】
携帯電話(T)を使用するための装置であって、使用者の腕(B)の手首 (Ｐ)の初期位置に長手方向に取付ける直線方向ガイド(1)を備え、該直線方向ガイド(1)上には長手方向に滑動する少なくとも一つのスライド(201)を組付け、該スライド(201)上にはアンテナ(A)を使用者の手の方に向けた状態で携帯電話(T)を長手方向に載置し、該スライド(201)を携帯電話(T)と共に直線方向ガイド(1)上の後方位置に保持し且つ携帯電話(T)を担持しているスライド(201)が手のひらに届いて、使用者が携帯電話(T)を使用することができるように、該スライド(201)を伸張させる手段を設けた、携帯電話(T)を使用するための装置。
【請求項２】
前記直線方向ガイド(1)上に伸縮スライド組立体(101,201)を載置し、全体の寸法を前記直線方向ガイド(1)の長さ及び該伸縮スライド組立体(101,201)の長さに収めるように、該スライド(201)上に携帯電話(T)を組付け、該伸縮スライド組立体(101,201)を後方位置に保持するための手段を設けた、請求項１に記載の装置。
【請求項３】
携帯電話(T)を、小型クリップ(4,4')によってスライド(201)上に固定する、請求項１又は２に記載の装置。
【請求項４】
前記直線方向ガイド(1)及び伸縮スライド組立体(101,201)が、あり溝式のスライド可能な継ぎ手を特徴とする、請求項２又は３に記載の装置。
【請求項５】
前記各スライド(201,101)の後方端に、下方歯（105,109）を有する長手方向可撓性舌部(5,９)を設け、該長手方向可撓性舌部(5,9)は、該スライド(201,101)の下方のスライド(101)若しくは直線方向ガイド(1)に設けた長手方向溝(7,11)内を摩擦をもってスライドし、該長手方向溝(7,11)は、伸張及び収縮行程の終点位置において該長手方向溝(7,11)の端部で該下方歯（105,109）をロックし、滑動を止めることを特徴とする、請求項２〜４のいずれか１項に記載の装置。
【請求項６】
前記スライド(101)若しくは直線方向ガイド(1)の前記長手方向溝(7,11)の底部端部に凹所（6,8及び10,12)を設け、該凹所（6,8,10,12)には前記長手方向可撓性舌部(5,9)の下方歯(105,109)がスナップ嵌合して、該スライド(201,101)を収縮待機位置及び伸張携帯電話使用位置に保持する、請求項５に記載の装置。
【請求項７】
前記長手方向可撓性舌部(5,９)の下方歯(105,109)及び／又は前記スライド(201,101)の伸張及び収縮行程の最後に該下方歯(105,109)がスナップ嵌合する凹所(6,8,10,12)の内縁部(106,108,110,112)が、該下方歯(105,109)が該凹所(6,8,10,12)から脱係合するのを助けるように傾斜している、請求項６に記載の装置。
【請求項８】
使用者の手首(Ｐ)に巻きつけるストラップ(３)によって該手首(Ｐ)に取付けることができる、請求項１〜７のいずれか１項に記載の装置。
【請求項９】
前記装置自体を使用者の手首(Ｐ)に取付ける前記ストラップ(３)が、さらに時計(W)を担持している、請求項８に記載の装置。
【発明の詳細な説明】
【０００１】
【発明の属する技術分野】
現在、携帯電話や移動式電話を持ち歩くために、例えばベルトに付けたり肩に掛けたりして身に付けることのできる様々なタイプのケースがある。実際に知られているこれらの装置のいずれも、携帯電話を素早く簡単に使用状態とし、且つ同様に素早く簡単にもとの待機状態に戻すことはできず、また特に雑音がひどい場所でも着信音を聞くことができるような位置に携帯電話を保持することはできない。本発明は以下に説明する解決手段によってこれら及びその他の課題を解決しようとするものである。小型携帯電話を、ガイド上を長手方向に滑動する伸縮スライドに固定し、このガイドを使用者の手首に取付ける。この位置において、携帯電話に着信があり、バイブレーターシステムが作動すると、この振動が容易にスライド−ガイドシステムに伝わり、ガイドから使用者の手首に伝わる。従って使用者は雑音のひどい場所でも瞬時に着信に気付くことができる。使用者は空いている方の手で携帯電話を持ってガイドを伸ばし、携帯電話を素早く手のひらに載せて使うことができる。会話が終了したら、携帯電話を同様に素早く手首の上の後方待機位置へ戻すことができる。スライドを後方待機位置に保持するための適切な手段を設け、また必要に応じて携帯電話を使用する伸張位置に保持するための手段も設ける。本発明のさらなる特徴及びそこから得られる利点は、添付図面に非限定的実施例として示す以下の好ましい実施態様の説明からより明らかとなる。
【０００２】
【発明の実施の態様】
図１、図２、及び図３より、この装置は直線方向ガイド１を備え、このガイド１は平坦な形状で、その一端の下方部分に、使用者の腕Ｂの手首部分Ｐに長手方向に取付けるための何らかの手段を設けてあることがわかる。このために、ガイド１の下方部分には、使用者の手首Ｐに巻きつけるストラップ３を通すためのループ２を設けることができる。ストラップ３は、腕時計Ｗをガイド１と反対側に保持するためのものと同じものを使用してもよい。図示する態様とは異なり、ガイド１の下方部分は、問題なく手首に装着できるように、解剖学的な形状としてもよく、及び／又は適切に詰め物をしてもよいことがわかる。図３に示すように横断方向から見ると、ガイド１は例えばあり溝の形状であり、長手方向に滑動するスライド１０１を備えている。このスライド１０１も断面があり溝の形状であり、次の平坦なスライド２０１のガイドとして機能する。このスライド２０１上に、例えば携帯電話の両端にある溝付き領域と係合する小型のクリップ４、４’等によって、携帯電話Ｔを長手方向に固定する。携帯電話のアンテナＡは使用者の手の方向に向いている。図１より、本装置が待機位置にある時、スライド１０１、２０１は互いに且つガイド１と重なりあっており、携帯電話は後方位置にあるので、使用者が手Ｍを自由に使えるようになっていることがわかる。携帯電話が鳴り、バイブレーターが作動すると、その振動が組立体１、１０１、２０１に伝わり、そこから手首Ｐに伝わる。よって使用者は騒がしい場所にいても着信状態に気付くことができる。代わって図２より、携帯電話Ｔを空いている方の手で持って、スライド組立体２０１、１０１をガイド１上でスライドさせることにより、この携帯電話Ｔを手のひらＭの上の使用に適した位置へ素早く簡単に配置する方法が明らかになる。同様に素早く簡単な動きによって、携帯電話を図１に示す待機位置へと移動させることができる。図４及び図５を参照して、組立体１、１０１、２０１の一実施態様の詳細を示す。これらの図より、スライド２０１の携帯電話と係合しない後端には、下向きの歯１０５を有する可撓性舌部５が設けられており、このスライド２０１が後方待機位置にある時、この歯１０５は、スライド１０１の長手方向溝７の端部に設けた後端の小さな凹所６にスナップ嵌合していることがわかる。スライド２０１を長手方向に引っ張ると、歯１０５は凹所６の傾斜内縁部１０６と協働して、凹所６から容易に抜け出す。この時歯１０５は撓曲する。次いで歯１０５は溝７の底部を滑って、最終的に上記凹所６と同一且つ対向する凹所８にスナップ嵌合する。スライド２０１を長手方向にさらに引っ張り続けると、歯１０５が溝７の端部に到達し、下方にあるスライド１０１を引きずってガイド１上でスライドさせる。スライド１０１の後方にも舌部５と同様な可撓性舌部９が設けられており、この舌部９に設けた歯１０９は、凹所６と同様な凹所１０から抜け出し、溝７と同様な長手方向溝１１内をスライドする。この溝１１の端部には、凹所８と同様な凹所１２が設けられており、歯１０９はこの凹所１２にスナップ嵌合する。従って、組立体１０１、２０１が、歯１０５及び１０９が凹所６及び１０と協働することにより、後方待機位置に安定して保持され、反対に、この歯１０５及び１０９が凹所８及び１２と協働することにより、伸張位置に安定して保持されることが明らかになる。符号１０８、１１０、１１２は、凹所６の縁部１０６と同様な凹所８、１０、１２の傾斜内縁部を示す。
【図面の簡単な説明】
【図１】  図１は、使用者の手首に固定した、携帯電話待機位置にある本発明の装置の縦断面図である。
【図２】  図２は、使用者の手首に固定した、携帯電話使用位置にある本発明の装置の縦断面図である。
【図３】  図３は、本発明の装置の詳細を示す、図１の横断面線III‐IIIに沿った図である。
【図４】  図４は、図１と同じ後方待機位置にあるガイド−伸縮スライド組立体を示す拡大縦断面図である。
【図５】  図５は、図４の詳細から抜き出した、装置の上方スライドの後方端の平面図である。
【図１】
0004796257.tif 000002
【図２】
0004796257.tif 000003
【図３】
0004796257.tif 000004
【図５】
0004796257.tif 000005
【図４】
0004796257.tif 000006